(57)【特許請求の範囲】
【請求項１】
本体の内部に設けられるファンおよびファンを駆動するモータと、前記ファンの風上に配設されるフィルターと、周囲の粉塵濃度を検知する光電式粉塵検知器と、この光電式粉塵検知器で検知された粉塵濃度に応じて制御部により通電制御される表示部を有し、この表示部は２色ＬＥＤを帯状に配列して設け、前記制御部は運転時に前記表示部の２色ＬＥＤ全てに通電するとともに、前記２色ＬＥＤの点灯色および点灯色毎の点灯数を変えることにより、汚染状況を識別できる構成とした空気清浄機。
【発明の詳細な説明】
【０００１】
【産業上の利用分野】
本発明は、光電式粉塵検知器を設けた空気清浄機に関するものである。
【０００２】
【従来の技術】
近年、室内の環境を良好にするため室内の汚染空気を浄化する空気清浄機が普及してきており、光電式粉塵検知器によって検知された粉塵濃度に応じて安定した自動運転ができ、粉塵濃度を表示できる空気清浄機の要求が高まってきている。
【０００３】
従来、この種の空気清浄機として特開平５−２３５２０号公報に示されるものがあった。以下その構成について図７を参照しながら説明する。
【０００４】
図に示すように、本体１０１の内部にモータ（図示せず）により駆動されるファン１０２を設け、上面に吹き出し口１０３を設け、前面には光電式粉塵検知器１０４およびフィルターホルダー１０５に保持されるフィルター１０６、１０７と前面カバー１０８を設け、光電式粉塵検知器１０４の検知された空気の汚れ具合に連動して、光電式粉塵検知器１０４の出力によってファン１０２を駆動しモータの回転数を切替え自動運転を行うものであった。
【０００５】
【発明が解決しようとする課題】
このような従来の空気清浄機の構成では、室内にいる人の活動や空気清浄機の運転に応
じて部屋の汚れ度合も変化するが、その変化する過程を正確に知ることができないという課題があった。
【０００６】
本発明は上記課題を解決するもので、部屋の汚れ具合と変化状況を使用者にわかりやすく表示することにある。
【０００７】
【課題を解決するための手段】
本発明の上記課題を解決するための手段は、本体の内部に設けられるファンおよびファンを駆動するモータと、前記ファンの風上に配設されるフィルターと、周囲の粉塵濃度を検知する光電式粉塵検知器と、この光電式粉塵検知器で検知された粉塵濃度に応じて制御部により通電制御される表示部を有し、この表示部は２色ＬＥＤを帯状に配列して設け、前記制御部は運転時に前記表示部の２色ＬＥＤ全てに通電するとともに、前記２色ＬＥＤの点灯色および点灯色毎の点灯数を変えることにより、汚染状況を識別できる構成としたものである。
【０００８】
【作用】
本発明は上記した構成により、帯状に配列された２色ＬＥＤの点灯色および点灯色毎の点灯数の変化により、室内の汚染状況を容易に判断することができる。
【０００９】
【実施例】
以下、本発明の実施例について図１〜図６を参照しながら説明する。
【００１０】
図に示すように、前面を開口し、上面に吐出口１を設け、内部にファン２を駆動するモータ３を設けた本体４と、ファン２の風上側となる前面にフィルター５と吸込口となるフロントグリル６を設け、フロントグリル６の前面には複数の２色ＬＥＤ７ａを設けて表示部７を形成する。
【００１１】
本体４の内部側方には光電式粉塵検知器８を設け、その下方左右に吸気口９を設け、上方の左右に排気口１０を形成し、内部中央の吸気口９寄りに、発熱することにより上昇気流を発生させる抵抗体１１を設け、上昇気流に対面して発光ダイオード１２と受光ダイオード１３を設け、粉塵を含んだ上昇気流に発光ダイオード１２からの赤外線をあて、粉塵の粒子で反射した光を受光ダイオード１３で検出し、粉塵量をカウントするように形成されている。
【００１２】
また、本体４内には粉塵濃度上昇時にはモータ３を弱運転から強運転に順次切換え、粉塵濃度下降時にはモータ３を強運転から弱運転に順次切替える制御部１４を設ける。制御部１４は粉塵濃度上昇時において光電式粉塵検知器８の検出濃度と比較するための第１の濃度基準データを記憶し、粉塵濃度下降時において光電式粉塵検知器８の検出濃度と比較するための第２の濃度基準データを記憶している。また制御部１４は表示部７の２色ＬＥＤ７ａに粉塵濃度に応じて通電を行う。
【００１３】
すなわち、表示部７に１０個の２色ＬＥＤ７ａを帯状に配列し、光電式粉塵検知器の出力電圧が０．８Ｖ以下であるならばすべての２色ＬＥＤ７ａは緑色で点灯する。そして汚れ１（電圧０．９Ｖ）になると一番左端の２色ＬＥＤ７ａが緑色から赤色に変わる。さらに汚れ４（電圧２．５Ｖ）になると左端４つの２色ＬＥＤ７ａが緑色から赤色に変わる。このように汚れのレベルが上がるほど、そのレベルに応じた２色ＬＥＤ７ａが順に緑から赤色に変わっていき、最終汚れ１０（電圧３．６Ｖ）以上になるとすべての２色ＬＥＤ７ａが赤色に変わるように構成する。
【００１４】
上記構成において、モータ３の切替えが強ノッチ、標準ノッチ、弱ノッチによる３段階
とすると、空気が汚れていくときは、制御部１４の記憶する第１の濃度基準データに従って、モータ３は汚れ１（電圧０．９Ｖ）で弱ノッチで運転を始め、汚れ４（電圧２．４Ｖ）で標準ノッチに切り替わり、汚れ８（電圧３．３Ｖ）で強ノッチに切り替わる。それに対して、空気がきれいになっていくときは、制御部１４の記憶する第２の濃度基準データに従って、汚れ３（電圧２．４Ｖ）になるまでは強ノッチで運転をし続け、汚れ１（電圧１．５Ｖ）になって弱ノッチに切り替わり、出力電圧０．８Ｖ以下になってはじめて停止する。
【００１５】
次に実際の運転状況を説明すると、室内でたばこを吸い始めると、光電式粉塵検知器８の出力電圧は図４に示すように出力電圧が上昇して空気清浄機が運転され、たばこの煙が除去されると出力電圧は下降するが、その電圧波形は絶えず上下に激しく変動する場合が多いものである。
【００１６】
しかしながら、モータ３の回転が強ノッチから標準ノッチに、また標準ノッチから弱ノッチに切り替わるときに、濃度上昇時と濃度下降時では濃度基準デ−タは０．９Ｖのヒステリシスをもたせているので、光電式粉塵検知器８の出力電圧が多少変動しても、モータ３のノッチはすぐには切り替わらず安定した運転をすることができる。
【００１７】
表示部７の動作は、空気がきれいなときはすべて２色ＬＥＤ７ａを緑色の表示であらわし、汚れに応じた濃度分だけ緑色の帯が短くなり、それに伴い汚れた濃度分だけ赤色の帯が長くなり、現在の汚れ具合とその変化する過程を相対的に分かりやすく表示することができる。
【００１８】
このように、本発明の空気清浄機によれば、現在の空気の汚れ具合とその汚染状況の変化が、緑色の帯と赤色の帯の長さとその動きにより、相対的な長さ変化として視認されるので、一目で判別することができる。
【００１９】
【発明の効果】
以上の実施例から明らかなように、本発明によれば表示部に２色ＬＥＤを帯状に配列して設け、運転時に２色ＬＥＤ全てに通電するとともに、前記２色ＬＥＤの点灯色および点灯色毎の点灯数を変えることにより、汚染状況を識別できる構成としたので、運転時は全ての２色ＬＥＤが帯状に点灯するとともに、点灯色毎の帯の長さとその動きにより、汚染状況が相対的な長さ変化として視認されるので、一見して空気の汚れ具合を知ることができる。
【図面の簡単な説明】
【図１】  本発明の空気清浄機の分解斜視図
【図２】  同空気清浄機の外観斜視図
【図３】  同空気清浄機の光電式粉塵検知器の概略断面図
【図４】  同光電式粉塵検知器の出力電圧の変化を示す特性グラフ図
【図５】  同運転動作説明図
【図６】  同表示部の動作説明図
【図７】  従来の空気清浄機の分解斜視図
【符号の説明】
２    ファン
３    モータ
４    本体
５    フィルター
７    表示部
７ａ  ２色ＬＥＤ
８    光電式粉塵検知器
１４  制御部
【図１】
0003666939.tif 000002
【図２】
0003666939.tif 000003
【図３】
0003666939.tif 000004
【図４】
0003666939.tif 000005
【図５】
0003666939.tif 000006
【図６】
0003666939.tif 000007
【図７】
0003666939.tif 000008